(57)【要約】【課題】簡易な構造をもち、洗浄と水切りの作業を同時に行うことで床面等の清掃作業を効率よく行える床面等の洗浄器具を提案する。【解決手段】柄本体１１と、柄本体１１の先端に設けられたヘッド部１２と、ヘッド部１２の先端に設けられたノズル部１３と、ヘッド部１２の左右に設けられた一対の車輪１４と、ヘッド部１２の後方に設けられたスクイージー部材１５とを備え、柄本体１１の後端に水供給管１８を装着しかつ車輪１４を床面等の洗浄面に接地させた状態で、水供給管１８から供給される水Ｗ１をノズル部１３のノズル孔１３ｂから圧力水Ｗ２として洗浄面Ｇ１に向け噴出させる構成とする。洗浄面Ｇ１に上の汚水Ｗ３は後方のスクイージー部材１５により直ちに水切りする。【選択図】図５
2011177490.tif 000002
【特許請求の範囲】
【請求項１】
柄本体と、柄本体の先端に設けられたヘッド部と、ヘッド部の先端に設けられた１又は複数のノズル部と、ヘッド部の左右に設けられた一対の車輪と、ヘッド部の後方に設けられたスクイージー部材とを備え、柄本体の後端に水供給管を装着しかつ車輪を洗浄面に接地させた状態で、水供給管から供給される水をノズル部のノズル孔から床面等の洗浄面に向け噴出させる構成とされていることを特徴とする洗浄器具。
【請求項２】
柄本体の先端にヘッド部が連結部を介して着脱可能かつ首振り可能に連結されていることを特徴とする、請求項１記載の洗浄器具。
【請求項３】
水供給管が可撓性を備えるとともに、水道管に直結して使用することを特徴とする、請求項１または請求項２記載の洗浄器具。
【請求項４】
スクイージー部材の両端がヘッド部材および両車輪から左右に突出していることを特徴とする、請求項１ないし請求項３のいずれか一項に記載の洗浄器具。
【請求項５】
ヘッド部の先端にノズル部が３以上設けられ、車輪の接地状態において、各ノズル部のノズル溝の延在方向と洗浄面のなす角度がそれぞれ調整可能とされていることを特徴とする、請求項１ないし請求項４のいずれか一項に記載の洗浄器具。
【請求項６】
両端に位置するノズル部を除くその内側に位置するノズル部はそのノズル溝の延在方向が洗浄面と平行に設定され、両端に位置するノズル部はそのノズル溝の延在方向が洗浄面に対し洗浄面から上方に離れるに従い末広がりになるように傾斜する角度に設定されていることを特徴とする、請求項５記載の洗浄器具。
【請求項７】
ヘッド部の後方にスクイージー部材と反対方向に延在するブラシ部材が設けられていることを特徴とする、請求項１ないし請求項５のいずれか一項に記載の洗浄器具。
【発明の詳細な説明】
【技術分野】
【０００１】
本発明は、食品工場の床面や屋外展示場の舗装面等において、洗浄および水切り作業を同時に行える洗浄器具に関するものである。
【背景技術】
【０００２】
従来、屋内の床面、例えば食品工場や調理場の床面を清掃する場合、一般的にはホースの先から水道水を撒きながらブラシで床面を清掃するようにしている。また、屋外の舗装面、例えば駐車場やガソリンスタンド、自動車や住宅の屋外展示場、ホテル玄関等を清掃する場合も、上に述べたごとく、水道水とブラシを使って清掃するのが一般的である。いずれの場合も、二人掛かりで一人が水道水を撒いてその後をもう一人がブラシで清掃するか、一人で作業する場合最初に水道水を撒いて撒き終わってからブラシで清掃するかのいずれかで作業を行っている。
【０００３】
しかし、上に述べた従来一般の清掃作業は、複数人を要し、あるいは一人で作業を行うには手間と時間を要し、効率的であるとは言えなかった。また、清掃残しが生じたり、水道水を多量に用いて水道代が嵩む原因ともなっていた。さらに、自動車展示場において、火山灰の降灰があると、敷地内や展示車両を綺麗に洗浄する必要が生じるが、降灰した火山灰を洗い流そうとしてホースで水道水を敷地内に撒こうとすると、水が跳ねて展示車両の下部に汚水や火山灰が付着し、展示車両を再度綺麗に拭き取らなければならない手間が生じていた。
【０００４】
従来より、床面洗浄機に関する提案（特許文献１、特許文献２）や、清掃具に関する提案（特許文献３）がなされている。
【先行技術文献】
【特許文献】
【０００５】
【特許文献１】特開平７−２９９０１８号公報
【特許文献２】特開平１１−２２５９３２号公報
【特許文献３】登録実用新案第３０９１２３４号公報
【発明の概要】
【発明が解決しようとする課題】
【０００６】
しかしながら、特許文献１や特許文献２の床面洗浄機は構造が複雑で製作コストが高くつく課題がある。特許文献３の清掃具はホースで水道水を撒く必要がある点で従来一般の方法と変わりがない。
【０００７】
本発明は上記課題に鑑みてなされたもので、簡易な構造をもち、洗浄と水切りの作業を同時に行うことで床面等の清掃作業を効率よく行える洗浄器具を提案することを目的とする。
【課題を解決するための手段】
【０００８】
上記課題を解決するために、本発明に係る洗浄器具は、
柄本体と、柄本体の先端に設けられたヘッド部と、ヘッド部の先端に設けられた１又は複数のノズル部と、ヘッド部の左右に設けられた一対の車輪と、ヘッド部の後方に設けられたスクイージー部材とを備え、柄本体の後端に水供給管を装着しかつ車輪を床面等の洗浄面に接地させた状態で、水供給管から供給される水をノズル部のノズル孔から洗浄面に向け圧力水として噴出させる構成としたことを主要な特徴とする。
【０００９】
本発明に係る洗浄器具は、柄本体の先端にヘッド部が連結部を介して着脱可能かつ首振り可能に連結されていることを第２の特徴とする。
【００１０】
本発明に係る洗浄器具は、水供給管が可撓性を備えるとともに、水道管に直結して使用することを第３の特徴とする。
【００１１】
本発明に係る洗浄器具は、スクイージー部材の両端がヘッド部材および両車輪から左右に突出していることを第４の特徴とする。
【００１２】
本発明に係る洗浄器具は、ヘッド部の先端にノズル部が３以上設けられ、車輪の接地状態において、各ノズル部のノズル溝の延在方向と洗浄面のなす角度がそれぞれ調整可能とされていることを第５の特徴とする。
【００１３】
本発明に係る洗浄器具は、両端に位置するノズル部を除くその内側に位置するノズル部はそのノズル溝の延在方向が洗浄面と平行に設定され、両端に位置するノズル部はそのノズル溝の延在方向と洗浄面のなす角度が洗浄面から上方に離れるに従い末広がりになるように傾斜する角度に設定されていることを第６の特徴とする。
【００１４】
本発明に係る洗浄器具は、ヘッド部の後方にスクイージー部材と反対方向に延在するブラシ部材が設けられていることを第７の特徴とする。
【発明の効果】
【００１５】
以上説明したように、本発明に係る洗浄器具は、柄本体と、柄本体の先端に設けられたヘッド部と、ヘッド部の先端に設けられた１又は複数のノズル部と、ヘッド部の左右に設けられた一対の車輪と、ヘッド部の後方に設けられたスクイージー部材とを備え、柄本体の後端に水供給管を装着しかつ車輪を洗浄面に接地させた状態で、水供給管から供給される水をノズル部のノズル孔から床面等の洗浄面に向け噴出させる構成としたから、左右の車輪でヘッド部を走行させながら、水供給管から供給される水をノズル孔から圧力水として洗浄面に噴出させて洗浄し、同時に、後方のスクイージー部材により洗浄後の汚水をきれいに水切りすることができ、これによって効率よく床面等の清掃作業を行うことができるという優れた効果を奏する。
【図面の簡単な説明】
【００１６】
【図１】本発明の第１の実施形態を示すもので、本発明の洗浄器具を示す全体正面図、
【図２】図１の洗浄器具の要部を示す背面図、
【図３】図１の洗浄器具を用いて、舗装面の洗浄および水切り作業を同時に行っている様子を示す要部側面図、
【図４】図１の洗浄器具におけるノズルの配置状態を示す図、
【図５】図１の洗浄器具の使用状況を示す斜視図、
【図６】本発明の第２の実施形態を示すもので、ブラシ部材を下にして舗装面の洗浄、水切りおよび汚れの除去作業を同時に行っている様子を示す要部側面図、
【図７】本発明の第３の実施形態を示すもので、ブラシ部材を下にして舗装面の洗浄、水切りおよび汚れの除去作業を同時に行っている様子を示す要部側面図、
【図８】図７の洗浄器具を用いて、スクイージー部材を下にして舗装面の洗浄および水切り作業を同時に行っている様子を示す要部側面図である。
【発明を実施するための最良の形態】
【００１７】
本発明を実施するための最良の実施形態を図面を参照して説明する。図１ないし図５は本発明の第１の実施形態を示すもので、これらの図において、符号１０は洗浄器具である。
【００１８】
洗浄器具１０は、図１および図２に示すように、柄本体１１と、柄本体１１の先端に設けられたヘッド部１２と、ヘッド部１２の先端に設けられた複数のノズル部１３と、ヘッド部１２の左右側端に設けられた一対の車輪１４と、ヘッド部１２の後方に設けられたスクイージー部材１５とを備えた構成とされている。柄本体１１に対してはヘッド部１２がカプラー１６を介して着脱可能かつ首振り可能に連結されている。柄本体１１の後端にはホース接続部１７を介して可撓性を備える水供給ホース１８が連結可能とされている。なお、水供給ホース１８は本実施形態では水道の蛇口に接続されるようになっている。
【００１９】
柄本体１１は、長尺な管状体であって内部に液通路を備え、後端のホース接続部１７の近傍に把持部１９が設けられると共に、把持部１９の近傍に開閉栓２０が取付けられている。開閉栓２０は、その開閉操作により、水供給ホース１８からの水の供給と停止を行い、またその間の回動操作により水の供給量を調整できるようになっている。
【００２０】
ヘッド部１２は、左右に延びると共に、内部に柄本体１１の液通路に連通する液通路が設けられている。ヘッド部１２の前面には、図４に示すように、複数（図示例では６個）のノズル部１３が取付けられている。各々のノズル部１３には、左右に延在して開口するノズル溝１３ａが設けられると共に、ノズル溝１３ａの中央に位置してノズル孔１３ｂが設けられている。そして、各々のノズル孔１３ｂはヘッド部１２内部の液通路と連通している。これにより、図２および図３に示すように、水供給ホース１８から供給される水道水Ｗ１がノズル孔１３ｂから圧力水Ｗ２となって舗装面（洗浄面）Ｇ１に向けて斜め前方下向きに噴出されるようになっている。
【００２１】
車輪１４は、ヘッド部１２の左右側端に支持部材１４ａおよび軸受１４ｂを介して下向きに取付けられている。また、ヘッド部１２の後面には、ヘッド部１２の左右両端に亘り、弾性ゴムからなるスクイージー部材１５が、図３に示す洗浄作業姿勢で斜め後方下向きに取付けられている。スクイージー部材１５は、図３に示すように、ノズル部１３の後方に位置して、ノズル孔１３ｂから舗装面Ｇ１に向けて斜め前方下向きに噴出された圧力水Ｗ２により洗浄された舗装面Ｇ１上に残る汚水Ｗ３を、車輪１４の走行に付随して、綺麗に水切りする役割をする。スクイージー部材１５の左右端面１５ａは、図４に示すように、ヘッド部１２の両端面および左右の車輪１４の端面から左右にそれぞれ突出している（片側の突出量ｄ）。
【００２２】
図示例において、図２に示すように、各々のノズル部１３のノズル孔１３ｂから噴出される圧力水Ｗ２の噴出面における噴出角度α１は約６５度とされ、また、図３に示すように、同圧力水Ｗ２の舗装面Ｇ１に対する平均の噴出角度は約３０〜４５度とされる（この時の舗舗装面Ｇ１に対する柄本体１１のなす角度は約３０〜６０度、図示例では４５度である）。さらに、図４に示すように、各々のノズル部１３のうち、左右両端に位置するノズル部１３’を除く、その内側のノズル部１３は、いずれもノズル溝１３ａの延在方向が舗装面Ｇ１に対し平行に設定され、左右両端のノズル部１３’は、そのノズル溝１３ａ’の延在方向が舗装面Ｇ１に対し傾斜する角度、すなわち、舗装面Ｇ１から上方に離れるに従い末広がりになるように傾斜する角度をもつようにして取付けられている（傾斜角度α２＝６５度）。
【００２３】
ヘッド部１２の上面には取付部材２１を介してヘッドカバー２２が着脱可能に取付けられている。取付部材２１の上面には、図３に示すように係合凹所２１ａが設けられ、ヘッドカバー２２の下面には係合凹所２１ａに着脱可能に係合する係合凸部２２ａが設けられている。取付部材２１にはヘッドカバー２２を外して図示しないブラシ部材を着脱可能に取付できるようになっている。
【００２４】
次に、上記構成の洗浄器具１０を用いて、屋外展示場の舗装面を清掃作業する例について説明する。
【００２５】
まず、図１において、柄本体１１のホース接続部１７に水供給ホース１８を接続する。水供給ホース１８はここでは図示しない水道管の蛇口に接続する。柄本体１１の後端側の把持部１９を把持し、水道管の蛇口を少量だけ開栓するとともに、柄本体１１の開閉栓２０を開栓すると、ヘッド部１２先端の各ノズル孔１３ｂから圧力水Ｗ２が一斉に舗装面Ｇ１に向けて噴出し、舗装面Ｇ１上の火山灰その他を洗い流すべく洗浄する。
【００２６】
把持部１９を把持しながら、左右の車輪１４を走行させてヘッド部１２を移動させることにより、屋外展示場の舗装面Ｇ１に対し、各ノズル部１３からの圧力水Ｗ２により効率よく洗浄し、同時にヘッド部１２後方のスクイージー部材１５により、洗浄後の舗装面Ｇ１上の火山灰を含む汚水Ｗ３の水切り作業を効率よく行うことができる。
【００２７】
移動中、舗装面Ｇ１に対するノズル部１３の高さ、すなわちノズル孔１３の高さ位置Ｈは車輪１４により一定に保持されるから、両作業とも安定してスムーズに行え、洗浄残しや水切り残しを無くすことができる。また、これらの洗浄および水切り作業は、ヘッド部１２から後方斜め上向きに延びる柄本体１１の把持部１９を把持して操作することにより、従来作業のように腰を屈めたきつい姿勢を強いることなく、楽に行える。このようにして、洗浄から水切りまでの一連の清掃作業を一人で楽にかつ効率よく行うことができる。
【００２８】
本実施形態の洗浄器具１０によると、以下の効果を奏する。
【００２９】
（１）水道管の蛇口と直結し、水道の圧力を利用して、ノズル孔１３ｂから圧力水Ｗ２を舗装面Ｇ１に向けて噴出させるので、多量の水道水を撒いていた従来の清掃作業に比べて、水の使用量がはるかに少なくて済む。従って、水道代を大幅に低減することができ、よって清掃コストを減らすことができる。
（２）ノズル孔１３ｂの後方のスクイージー部材１５により、従来の方法に比べ、一人で洗浄から水きりまでの一連の清掃作業を行え、省人化を図れると同時に、作業時間の大幅短縮を図ることができる。
（３）簡易な構造でありながら、水道水を利用して、効率よく洗浄清掃作業を行え、利便性が非常に高い。
【００３０】
（４）柄本体１１に対しヘッド部１２が首振り可能に連結されているので、清掃作業の際のヘッド部１２の動きがスムーズであり、作業がよりし易くなる。
（５）スクイージー部材１５の左右端面１５ａがヘッド部１２の両端面および左右の車輪１４の端面から左右に突出しているので（突出量ｄ）、建物壁面と舗装面との間の隅部の水切り残しを無くし、また、建物壁面がヘッド部１２や車輪１４と接触して傷付く心配がない。
【００３１】
（６）左右両端のノズル部１３’，１３’の各溝１３ａ’を舗装面Ｇ１と平行にせずに、舗装面Ｇ１から上に離れるに従い末広がりになるように傾斜する角度に設定したので、同ノズル部１３’の各ノズル孔１３ｂ’から噴出される圧力水Ｗ２’でもって、内側で隣接するノズル部１３のノズル孔１３ｂ（ノズル溝１３ａが舗装面Ｇ１と平行に延在している）から噴出される圧力水Ｗ２が、ヘッド部１２の両端を越えて左右に拡がることを防ぐことができる。すなわち、同圧力水Ｗ２がヘッド部１２の両端を越えて左右に大きく拡がると、汚水Ｗ３が跳ねて隣接する壁の下部や車両の下部等を汚すおそれがあるが、これを防止できる。
【００３２】
（７）ヘッド部１２と柄本体１１をカプラー１６で切り離すことができるので、本洗浄器具１０を使用しない場合は、コンパクトに畳んで邪魔にならないように収容できる。
【００３３】
上記実施形態において、柄本体１１、ヘッド部１２はアルミ等の金属部材やプラスチック部材、スクイージー部材１５は可撓性のある弾性ゴムから構成することができる。また、水供給ホース１８は水道管の蛇口に接続したが、ポンプ付きの水タンクに接続してもよい。
【００３４】
図６は、本発明の第２実施形態を示している。本実施形態の洗浄器具３０は、そのヘッド部１２を上下逆さまにした状態で、食品工場における床面Ｇ２をノズル孔１３ｂからの圧力水Ｗ２により洗浄しながら、床面Ｇ２にブラシをかけている様子を示している。なお、第１実施形態の洗浄器具１０における部材と同一部材には同一符号を付してその説明は省略する。
【００３５】
洗浄器具３０は、ヘッドカバー兼用の取付部材３１の上面（図６では下向きである）にブラシ部材３２が取付けられている。ブラシ部材３２は多数本のブラシ毛から構成されている。ブラシ部材３２は床面Ｇ２の洗浄後の汚水Ｗ３を水切りすると共に、床面Ｇ２上に残る残滓物等のがんこな汚れを除去する役割をする。
【００３６】
本実施形態の洗浄器具３０は、ヘッド部１２を上下逆さまにした状態で、通常使用状態に比べて、圧力水Ｗ２の床面Ｇ２に対する噴出角度を大きくすることができ（４５度から６０度）、圧力水Ｗ２の床面Ｇ２に対する圧力を増加させ、がんこな汚れを剥離させ易くすることができる。そして、車輪１４の走行によりヘッド部１２を移動させながら、後方のブラシ部材３２により汚水Ｗ３を水切りすると同時に剥離が容易となったがんこな汚れを確実に除去できる。
【００３７】
一方、図６に示す姿勢からヘッド部１２を元の姿勢に戻してスクイージー部材１５を下向きにすると、図１に示す清浄清掃具１０と同様の姿勢となり、床面Ｇ２上を車輪１４で走行しながら、圧力水Ｗ２で床面Ｇ２上を洗浄し、同時に後方のスクイージー部材１５で汚水Ｗ３を水切りできる。
【００３８】
図７および図８は、本発明の第３実施形態を示している。本実施形態の洗浄器具３０’は、図６に示す洗浄器具３０の変形例で、図６に示す洗浄器具３０と同一部材には同一符号を付してその説明は省略する。
【００３９】
図７に示す洗浄器具３０’は、取付部材３１の上面（図７では下向きである）に対するブラシ部材３２’の取付角度α３が９０度未満（図示例では６５度）とされ、また、取付部材（支持部材）１４ａ’に対するスクイージー部材１５’の取付角度α４も９０度未満（図示例では６０度）とされている。これにより、図７に示すように床面Ｇ２に対しブラシ部材３２’がより起立姿勢となるから、床面Ｇ２の洗浄後の汚水Ｗ３に対するブラシ部材３２’の水切り効果がより高まると共に、床面Ｇ２上に残る残滓物等のがんこな汚れの除去効果も高まる。車輪１４の走行によりヘッド部１２を移動させながら、後方のブラシ部材３２により汚水Ｗ３を水切りすると同時に床面Ｇ２上のがんこな汚れをより一層確実に除去できる。
【００４０】
図７に示すように、ヘッド部１２の背面に支持部材３３が取付けられ、支持部材３３の一方にスクイージー部材１５’を所定角度の姿勢に保持する保持部材３４が、支持部材３３の他方にブラシ部材３２’を所定角度の姿勢に保持する保持部材３５がそれぞれ取付けられている。そして、各保持部材３４，３５にスクイージー部材１５’，ブラシ部材３２’が取付保持されている。ブラシ部材３２’の取付角度α３およびスクイージー部材１５’の取付角度α４は、いずれも５５〜７５度が望ましい。
【００４１】
図７に示す姿勢からヘッド部１２を元の姿勢に戻して図８に示すようにスクイージー部材１５’を下向き姿勢にすると、図１に示す洗浄器具１０と同様の姿勢となり、床面Ｇ２上を車輪１４で走行しながら、圧力水Ｗ２で床面Ｇ２上を洗浄し、同時に後方のスクイージー部材１５’で汚水Ｗ３を水切りできる。この場合も床面Ｇ２に対しスクイージー部材１５’がより起立姿勢となるから、スクイージー部材１５’による床面Ｇ２の水切り効果がより高まる。
【００４２】
以上説明してきたように、本発明の洗浄器具を用いると、広範囲の床面あるいは舗装面を少量の水でもって効率よく洗浄および水切り作業を行え、清掃作業を楽にかつスピーディーに行うことができ、極めて利便性に優れている。また、構造も簡素であり、安価な製作費用でもって提供することができる。
【産業上の利用可能性】
【００４３】
本発明に係る洗浄器具は、食品工場や調理場等の床面、ホテル玄関や屋外展示場等の舗装面を洗浄し水切りして清掃するための洗浄器具として、幅広く利用可能である。
【符号の説明】
【００４４】
１０，３０，３０’  洗浄器具
１１  柄本体
１２  ヘッド部
１３  ノズル部
１３ａ  ノズル溝
１３ｂ  ノズル孔
１４  車輪
１４ａ，３３  支持部材
１４ｂ  軸受
１５，１５’  スクイージー部材
１６  カプラー（連結部）
１７  ホース接続部
１８  水供給ホース（水供給管）
１９  把持部
２０  開閉栓
２１，３１  取付部材
２１ａ  係合凹所
２２  ヘッドカバー
２２ａ  係合凸部
３２，３２’  ブラシ部材
３２ａ  ブラシ毛
３４，３５  保持部材
Ｇ１  舗装面（洗浄面）
Ｇ２  床面（洗浄面）
α１  噴出角度
α２  傾斜角度
α３，α４  取付角度
Ｗ１  供給水
Ｗ２  圧力水
Ｗ３  汚水
【図１】
2011177490.tif 000003
【図２】
2011177490.tif 000004
【図３】
2011177490.tif 000005
【図４】
2011177490.tif 000006
【図５】
2011177490.tif 000007
【図６】
2011177490.tif 000008
【図７】
2011177490.tif 000009
【図８】
2011177490.tif 000010